(57)【特許請求の範囲】
【請求項１】
複数のトラックを有し、音声データ、或いは、外部記憶手段に記憶されたＰＣＭデータファイルから読み出したＰＣＭデータを前記トラックに格納し、各トラックに格納されたデータを編集した後、再生するマルチトラックレコーダにおいて、
前記音声データまたは、前記ＰＣＭデータの一部が入力されるとこれを一時的に記憶する録音バッファと、
複数トラックの記憶領域を有し前記複数トラックの各トラックに格納された音声データを出力するレコーダと、
リズムデータが記憶されるリズムデータ記憶手段と、
前記リズムデータ記憶手段に記憶されたリズムデータを出力するリズムオシレータと、ファイル記憶手段と、を具備し、
前記ファイル記憶手段は、
前記録音バッファに一時記憶された音声データを記憶する機能と、前記外部記憶手段に記憶されたＰＣＭデータファイルを記憶する機能と、データ再生の際には前記レコーダのいずれかのトラックへ音声データを出力する機能とを有し、
前記外部記憶手段に記憶されたＰＣＭデータファイルに含まれるＰＣＭデータの一部を聞き取るプレビュー指示操作が行われたときには、該ＰＣＭデータの一部を前記録音バッファに書き込んだ後、この録音バッファに書き込まれたＰＣＭデータの一部を前記リズムオシレータによって再生可能に前記リズムオシレータを構成したことを特徴とするプレビュー機能を具備したマルチトラックレコーダ。
【発明の詳細な説明】
【０００１】
【発明の属する技術分野】
本発明は、音声データを複数のトラックに録音、或いは、ＰＣＭデータファイル（ＷＡＶファイルやＡＩＦＦファイル等の音声データをコード化したデータからなるファイル）より得られるＰＣＭデータを複数のトラックにインポート（格納）し、各トラックのデータを、編集した後、再生可能なマルチトラックレコーダに係り、特に、ＰＣＭデータファイルに含まれるＰＣＭデータの一部を事前に聞き取ることのできるプレビュー機能を具備したマルチトラックレコーダに関する。
【０００２】
【従来の技術】
複数の音声をそれぞれ別個に録音し、録音した各音声を適宜編集した後、再生する装置として、従来よりマルチトラックレコーダが知られており、実用に供されている。マルチトラックレコーダは、複数のトラックにそれぞれ音声データ（発声音、或いは、楽器音等のデータ）を録音することができるので、例えば、第１のトラックにピアノの楽音を録音し、第２のトラックに太鼓の楽音を録音すれば、これらの音（ピアノの音と太鼓の音）を編集して出力することができるので、例えば、スタジオでのレコーディングの際に極めて有用である。
【０００３】
図４は、従来におけるマルチトラックレコーダ、及びその周辺機器の構成を概略的に示す機能ブロック図である。同図に示すように、このマルチトラックレコーダ１０１は、マイクロフォンや音源機器より得られる音声信号を、ディジタル化するＡ／Ｄ変換器１０３と、ディジタル化された音声信号を一時的に記憶する録音バッファ１０４と、外部記憶装置（ＣＤ−ＲＯＭ等）１０８に記憶されているＰＣＭデータファイル、或いは録音バッファ１０４に一時記憶された音声信号データを記憶するファイル記憶部１０５と、レコーダ１０９と、を具備している。
【０００４】
更に、リズムデータが予め記憶されたリズムデータ記憶部１０６と、該リズムデータ記憶部１０６に記憶されたリズム音を出力するためのリズムオシレータ１０７と、を具備している。
【０００５】
レコーダ１０９は、複数のトラック（例えば、１６トラック）を有し、録音バッファ１０４に記憶されている音声データをＰＣＭデータファイルとして、ファイル記憶部１０５に記憶する機能と、ファイル記憶部１０５に記憶されたＰＣＭデータファイルを各トラック毎に出力する機能を有するものである。
【０００６】
このような構成を有するマルチトラックレコーダ１０１では、マイクロフォンや音源機器より得られる音声データ、或いは、外部記憶装置１０８よりインポートされたＰＣＭデータファイルを、レコーダ１０９の複数のトラックに格納した後、編集して出力することができる。また、リズムオシレータ１０７により、リズムデータ記憶部１０６内に格納されているリズム音のデータを読み出して出力することができるので、前述のレコーダ１０９からの音声出力とは別個に、リズム音を出力することができる。
【０００７】
このような従来のマルチトラックレコーダ１０１では、ＰＣＭデータファイルをレコーダ１０９内にインポートする際に、操作者がＰＣＭデータファイルの内容を把握していない場合、即ち、ＰＣＭデータファイルに書き込まれている音声データが、どのような音声であったかを知ることができない場合には、とりあえず、このＰＣＭデータファイルをレコーダ１０９内の任意のトラックにインポートし、このＰＣＭデータファイルを再生して聞き取ることにより、ＰＣＭデータファイルの内容を確認する必要がある。
【０００８】
ところが、例えばＰＣＭデータファイルに音楽１曲分が書き込まれている場合のように、ＰＣＭデータファイルのデータ量が多い場合には、外部記憶装置１０８に記憶されているＰＣＭデータファイルをインポートしてレコーダ１０９内に格納するまでに、長時間を要してしまう。
【０００９】
従って、レコーダ１０９内にインポートしたＰＣＭデータファイルが、所望するファイルと異なっている場合には、再度他のＰＣＭデータファイルをインポートしてその内容を確認する、という作業が必要となり、操作者にとって極めて煩わしい作業となる。
【００１０】
また、ＰＣＭデータファイルをインポートすると、このＰＣＭデータファイルは、レコーダ１０９のトラックに以前に格納されていた音声データ（既存のデータ）に対して上書きされるので、単に外部記憶装置１０８内に記憶されているＰＣＭデータファイルの内容を確認したい、という要望であっても、レコーダ１０９の１つのトラックの既存データが破壊されるという問題が発生する。
【００１１】
【発明が解決しようとする課題】
前述のように、従来におけるマルチトラックレコーダ１０１では、外部記憶装置１０８に格納されているＰＣＭデータファイルの内容を確認する際には、一旦このＰＣＭデータファイルをレコーダ１０９内にインポートした後これを再生して聞き取る作業が必要であり、ＰＣＭデータファイルのデータ量が多い場合には、この内容を確認するために、長時間を要するという欠点があった。また、ＰＣＭデータファイルの内容を確認するためには、レコーダ１０９の一つのトラックを用いて、該トラックに上書きする必要があるので、このトラックに格納されていた既存の音声データが破壊されるという欠点があった。
【００１２】
この発明はこのような従来の課題を解決するためになされたものであり、その目的とするところは、簡単な操作で外部記憶装置１０８に記憶されているＰＣＭデータファイルの音声の一部を聞き取ることができるプレビュー機能を具備したマルチトラックレコーダを提供することにある。
【００１３】
【課題を解決するための手段】
上記目的を達成するため、本発明は、複数のトラックを有し、音声データ、或いは、外部記憶手段に記憶されたＰＣＭデータファイルから読み出したＰＣＭデータを前記トラックに格納し、各トラックに格納されたデータを編集した後、再生するマルチトラックレコーダにおいて、
前記音声データまたは、前記ＰＣＭデータの一部が入力されるとこれを一時的に記憶する録音バッファと、
複数トラックの記憶領域を有し前記複数トラックの各トラックに格納された音声データを出力するレコーダと、
リズムデータが記憶されるリズムデータ記憶手段と、
前記リズムデータ記憶手段に記憶されたリズムデータを出力するリズムオシレータと、ファイル記憶手段と、を具備し、
前記ファイル記憶手段は、
前記録音バッファに一時記憶された音声データを記憶する機能と、前記外部記憶手段に記憶されたＰＣＭデータファイルを記憶する機能と、データ再生の際には前記レコーダのいずれかのトラックへ音声データを出力する機能とを有し、
前記外部記憶手段に記憶されたＰＣＭデータファイルに含まれるＰＣＭデータの一部を聞き取るプレビュー指示操作が行われた時には、該ＰＣＭデータの一部を前記録音バッファに書き込んだ後、この録音バッファに書き込まれたＰＣＭデータの一部を前記リズムオシレータによって再生可能に前記リズムオシレータを構成したことが特徴である。
【００１５】
また、前記録音バッファには、前記ＰＣＭデータファイルに含まれるＰＣＭデータの、先頭部分を書き込むことを特徴とすることもできる。
【００１６】
上述の如く構成された本発明によれば、操作者は、外部記憶装置に記憶されているＰＣＭデータファイル（ＷＡＶファイル、ＡＩＦＦファイル等）の内容が把握できない場合には、ＰＣＭデータファイルに含まれるＰＣＭデータの一部を録音バッファに書き込み、このデータを音声データ再生手段（リズムオシレータ）により再生することにより、該ＰＣＭデータファイルの内容を確認することができる。従って、簡単な操作でＰＣＭデータファイルの内容を確認することができ、且つ、トラックに格納されている既存の音声データを削除することなく、ＰＣＭデータファイルの内容を確認することができる。
【００１７】
【発明の実施の形態】
以下、本発明の実施形態を図面に基づいて説明する。図１は、本発明の一実施形態に係るマルチトラックレコーダの構成を示すハードウェア構成図、図２は、本実施形態の特徴部分を示す機能ブロック図である。
【００１８】
図１に示すように、このマルチトラックレコーダ１は、制御中枢となるＣＰＵ２と、各種操作入力を行うスイッチ３と、表示器４と、専用ＬＳＩ５と、ハードディスク６と、主記憶部７と、ＣＤ−ＲＯＭドライブやＭＯドライブ等の外部記憶装置１１と接続する外部インターフェース８と、Ａ／Ｄ変換器９、及びＤ／Ａ変換器１０とを具備している。また、専用ＬＳＩ５は、専用メモリ５ａを具備している。
【００１９】
図２に示すレコーダ２１、録音バッファ２２、リズムオシレータ（音声データ再生手段）２３、及びリズムデータ記憶部２４は、図１に示す専用ＬＳＩ５に搭載されている。
【００２０】
レコーダ２１は、複数のトラック（例えば、１６トラック）を具備しており、各トラックに格納された音声データを編集して出力することができるようになっている。
【００２１】
録音バッファ２２は、外部音源機器やマイクロフォンから音声信号が入力された際に、これを一旦記憶保存し、その後、記憶保存した音声データをファイル記憶部２５に保存するものである。なお、ここで言う録音バッファは、専用のバッファに限定されるものではなく、同一システム内の他のメモリを用いても実現できるものである。更に、該録音バッファ２２は、後述するように、プレビュー機能を実行する際には、外部記憶手段１１に記憶されたＰＣＭデータファイルの一部のＰＣＭデータを記憶する。
【００２２】
リズムデータ記憶部２４は、予めリズム音のデータを格納するものである。リズムオシレータ２３は、レコーダ２１による音声出力とは別個に、リズムデータ記憶部２４内に格納されているリズム音を出力するための制御を行う。また、後述するように、プレビュー機能を実行する際には、録音バッファ２２に格納されているＰＣＭデータを再生出力する制御を行う。
【００２３】
また、図２に示すファイル記憶部２５は、図１に示すハードディスク６内に存在するものであり、録音バッファ２２に一時記憶された音声データを記憶する機能と、外部記憶装置１１に記憶されたＰＣＭデータファイルを記憶する機能を有し、データの再生時にはレコーダ２１の所望のトラックへ音声データを出力する。なお、本実施形態でいうＰＣＭデータファイルとしては、ＷＡＶファイル、ＡＩＦＦファイル、及び、各機種固有の音声フォーマットファイルを利用することができる。
【００２４】
次に、前述のように構成された本実施形態の動作を、図３に示すフローチャートを参照しながら説明する。操作者は、外部記憶装置１１に記憶されているＰＣＭデータファイルの内容を確認したい場合には、図１に示すスイッチ３にて所望の操作を入力する。これにより、外部記憶装置１１内に記憶されているＰＣＭデータファイルを開く処理が実行される（ステップＳＴ１）。
【００２５】
そして、このＰＣＭデータファイルがレコーダ２１にインポートできる形式であるかどうか（サンプリング周波数や量子化ビット数が適合しているか等）を確認する（ステップＳＴ２）。そして、インポートできない場合（ステップＳＴ３でＮＯ）には、この時点でエラーであると判断し、ファイルをインポートする操作を終了する（ステップＳＴ４）。
【００２６】
また、インポートできるファイルである場合には（ステップＳＴ３でＹＥＳ）、ＰＣＭデータファイルに含まれるＰＣＭデータの読み取りを開始し、該ＰＣＭデータの先頭部分を検索する（ステップＳＴ５）。先頭部分が検索できない場合には（ステップＳＴ６でＮＯ）、エラーであると判断し、処理を終了する（ステップＳＴ７）。
【００２７】
先頭部分を検索することができた場合には（ステップＳＴ６でＹＥＳ）、ＰＣＭデータファイルのＰＣＭデータを、リズムオシレータ２３が読み取りできる形式に変換し、該ＰＣＭデータの先頭部分の一部（例えば、先頭の３秒間の部分）を取り出し、取り出したＰＣＭデータを録音バッファ２２に書き込む（ステップＳＴ８）。
【００２８】
その後、リズムオシレータ２３の読み取り先を、リズムデータ記憶部２４から録音バッファ２２に切り換えて、該リズムオシレータ２３により、録音バッファ２２内に記憶されているＰＣＭデータを音声出力する操作を行う（ステップＳＴ９）。こうして、操作者は、ＰＣＭデータファイルに含まれるＰＣＭデータの、先頭部分の聞き取り（以下、これをプレビューという）が可能となる。
【００２９】
そして、前述のプレビュー機能を用いることにより、ＰＣＭデータファイルの先頭部分が確認された場合には、従来と同様の手順でＰＣＭデータファイルをインポートする処理を行う。
【００３０】
即ち、図１に示すスイッチ３で、所望の操作を入力することにより、外部記憶装置１１に記憶されているＰＣＭデータファイルは、図１に示す外部インターフェース８を介して入力され、ファイル記憶部２５（ハードディスク６）に記憶され、その後、レコーダ２１（図２）が有する所望のトラックにインポートされる。
【００３１】
このようにして、本実施形態に係るマルチトラックレコーダ１では、ＰＣＭデータファイルのプレビュー機能を具備しているので、外部記憶装置１１に記憶されているＰＣＭデータファイルをレコーダ２１の任意のトラックへインポートする際に、予めＰＣＭデータファイルの内容を確認することができる。従って、従来のように、ＰＣＭデータファイル全体をレコーダ２１の任意のトラックにインポートした後、これを再生してＰＣＭデータファイルの内容を確認する、といった煩わしい作業を回避することができる。
【００３２】
また、本実施形態では、ＰＣＭデータファイルに含まれるＰＣＭデータの一部を録音バッファ２２に記憶した後、これをリズムオシレータ２３により再生するようになされているので、プレビュー機能を採用する場合に、レコーダ２１のトラックに上書きする必要がない。従って、従来のように、トラックに格納されている既存の音声データが破壊されるという問題を回避することができる。
【００３３】
なお、本実施形態では、ＰＣＭデータファイルに含まれるＰＣＭデータの先頭部分を取り出して、このＰＣＭデータをプレビューするように構成したが、本発明はこれに限定されるものではなく、ＰＣＭデータファイルに含まれるＰＣＭデータの中間部分、或いは、最終部分を用いてプレビューすることも可能である。
【００３４】
【発明の効果】
以上説明したように、本発明によれば、外部記憶装置に記憶されているＰＣＭデータファイルを、レコーダにインポートする際に、事前に該ＰＣＭデータファイルの内容をプレビューすることができるので、操作者は、簡単な操作でインポートするＰＣＭデータファイルを確認することができる。
【００３５】
また、プレビュー時には、レコーダ内のトラックへプレビューの対象となるＰＣＭデータファイルを書き込む必要がないので、トラックの既存音声データを破壊することがない。
【図面の簡単な説明】
【図１】本発明に係るマルチトラックレコーダの一実施形態の構成を示すブロック図である。
【図２】本実施形態に係るマルチトラックレコーダの、特徴的な部分を示す機能ブロック図である。
【図３】本実施形態の作用を示すフローチャートである。
【図４】従来におけるマルチトラックレコーダの機能ブロック図である。
【符号の説明】
１  マルチトラックレコーダ
２  ＣＰＵ
３  スイッチ
４  表示器
５  専用ＬＳＩ
５ａ  専用メモリ
６  ハードディスク
７  主記憶部
８  外部インターフェース
９  Ａ／Ｄ変換器
１０  Ｄ／Ａ変換器
１１  外部記憶装置
２１  レコーダ
２２  録音バッファ
２３  リズムオシレータ（音声データ再生手段）
２４  リズムデータ記憶部
２５  ファイル記憶部
【図１】
0004444459.tif 000002
【図２】
0004444459.tif 000003
【図３】
0004444459.tif 000004
【図４】
0004444459.tif 000005